(57)【要約】  本開示の態様は、送受信回路および処理回路を含む装置を提供する。送受信回路は、別の装置によって送信されたトリガ信号を受信するように構成されている。トリガ信号は、当該装置を含む、第１のグループの装置による送信をトリガし、第１のグループの装置による送信に対し干渉する第２のグループの装置による送信を遅延させる。処理回路は、トリガ信号に応答し、第２のグループの装置によって用いられる第２のプリアンブル構造とは異なる第１のプリアンブル構造を持つフレームを生成し、生成されたフレームを送信のために送受信回路に提供する、ように構成されている。
2019520754.tif 000002
【特許請求の範囲】
【請求項１】
別の装置によって送信されたトリガ信号を受信するように構成された送受信回路であって、前記トリガ信号はある装置を含む第１のグループの装置による送信をトリガし、および、前記第１のグループの装置による前記送信に対し干渉する第２のグループの装置による送信を遅延させる、送受信回路と、
前記トリガ信号に応答して、前記第２のグループの装置により用いられる第２のプリアンブル構造とは異なる第１のプリアンブル構造を持つフレームを生成し、および、前記生成されたフレームを送信のために前記送受信回路に提供する、ように構成された処理回路と、を備える、装置。
【請求項２】
前記処理回路は、前記トリガ信号から、前記別の装置によって決定された物理層における１または複数の送信制御パラメータを復号化し、前記１または複数の送信制御パラメータを送信のために用い、および、送信のために前記フレーム内で前記１または複数の送信制御パラメータを示さないように、前記第１のプリアンブル構造を簡素化する、ように構成されている、請求項１に記載の装置。
【請求項３】
前記処理回路は、前記トリガ信号から、変調符号化方式、多入力多出力パラメータおよびデータユニット長のうち少なくとも１つを復号化するように構成されている、請求項２に記載の装置。
【請求項４】
前記処理回路は、前記１または複数の送信制御パラメータを保持する信号フィールドを省略するように、前記第１のプリアンブル構造を簡素化するように構成されている、請求項２に記載の装置。
【請求項５】
前記処理回路は、前記第１のプリアンブル構造において、前記第２のプリアンブル構造の１または複数のフィールドを省略するように構成されている、請求項２に記載の装置。
【請求項６】
前記処理回路は、前記第１のプリアンブル構造において、物理層の分類情報を省略するように構成されている、請求項２に記載の装置。
【請求項７】
前記第１のプリアンブル構造は、前記第２のプリアンブル構造におけるパターンより、時間／周波数領域において、さらに重複したパターンを含むように構成されている、請求項１から６のいずれか一項に記載の装置。
【請求項８】
前記処理回路は、前記トリガ信号内の指標に基づき、前記装置によってサポートされる複数のプリアンブル構造から前記第１のプリアンブル構造を選択するように構成されている、請求項１から７のいずれか一項に記載の装置。
【請求項９】
前記処理回路は、前記送受信回路に、前記トリガ信号に応答して、クリアチャネルアセスメントなしで送信させるように構成されている、請求項１から８のいずれか一項に記載の装置。
【請求項１０】
前記処理回路は、前記装置によってサポートされる複数のプリアンブル構造から前記第１のプリアンブル構造を選択するように構成されている、請求項１から９のいずれか一項に記載の装置。
【請求項１１】
装置によって、別の装置により送信されたトリガ信号を受信する段階であって、前記トリガ信号は、前記装置を含む第１のグループの装置による送信をトリガし、および、前記第１のグループの装置による前記送信に対し干渉する第２のグループの装置による送信を遅延させる、段階と、
前記第２のグループの装置により用いられる第２のプリアンブル構造とは異なる第１のプリアンブル構造を持つフレームを生成する段階と、
前記生成されたフレームを保持する信号を送信する段階と、を備える、送信のための方法。
【請求項１２】
前記第２のグループの装置により用いられる前記第２のプリアンブル構造とは異なる前記第１のプリアンブル構造を持つ前記フレームを生成する段階は、さらに、
前記トリガ信号から、前記別の装置によって決定された、物理層における１または複数の送信制御パラメータを復号化する段階と、
送信のために前記フレーム内で前記１または複数の送信制御パラメータを示さないように、前記第１のプリアンブル構造を簡素化する段階と、
前記１または複数の送信制御パラメータに基づき、前記生成されたフレームを保持する前記信号を送信する段階と、を含む、請求項１１に記載の方法。
【請求項１３】
前記トリガ信号から、前記別の装置によって決定された、物理層における前記１または複数の送信制御パラメータを復号化する段階は、さらに、
前記トリガ信号から、変調符号化方式、多入力多出力パラメータおよびデータユニット長のうち少なくとも１つを復号化する段階を含む、請求項１２に記載の方法。
【請求項１４】
送信のために前記フレーム内で前記１または複数の送信制御パラメータを示さないように、前記第１のプリアンブル構造を簡素化する段階は、さらに、
前記１または複数の送信制御パラメータを保持する信号フィールドを省略するように、前記第１のプリアンブル構造を簡素化する段階を含む、請求項１２に記載の方法。
【請求項１５】
前記第１のプリアンブル構造において、前記第２のプリアンブル構造の１または複数のフィールドを省略する段階をさらに備える、請求項１２に記載の方法。
【請求項１６】
前記第１のプリアンブル構造において、物理層の分類情報を省略する段階をさらに備える、請求項１２に記載の方法。
【請求項１７】
前記第２のプリアンブル構造におけるパターンを時間／周波数領域において繰り返す段階と、
前記繰り替えされたパターンを前記第１のプリアンブル構造に含める段階と、をさらに備える、請求項１１から１６のいずれか一項に記載の方法。
【請求項１８】
前記トリガ信号内の指標に基づき、複数のプリアンブル構造から前記第１のプリアンブル構造を選択する段階をさらに備える、請求項１１から１７のいずれか一項に記載の方法。
【請求項１９】
前記１または複数の送信制御パラメータに基づき、前記生成されたフレームを保持する前記信号を送信する段階は、さらに、
前記トリガ信号に応答して、クリアチャネルアセスメントなしで送信する段階を含む、請求項１１から１８のいずれか一項に記載の方法。
【請求項２０】
前記トリガ信号を検出する段階と、
前記装置によりサポートされる複数のプリアンブル構造から前記第１のプリアンブル構造を選択する段階と、さらに備える、請求項１１から１９のいずれか一項に記載の方法。
【発明の詳細な説明】
【技術分野】
【０００１】
参照による援用
本開示は、２０１６年６月２１日に出願された米国仮特許出願第62/352,708号（発明の名称「トリガされた低電力長距離送信」）の利益を主張し、当該出願はその全体が参照により本明細書に援用される。
【背景技術】
【０００２】
本明細書に記載された背景技術は、本開示の内容を一般的に示す目的のためのものである。本明細書に名前が記載された発明者の研究内容は、当該研究内容がこの背景技術の欄において記載される限りにおいて、および、それ以外にも出願時の先行技術としての資格を満たし得ない記載態様も含め、明示的にも暗黙的にも本開示に対する先行技術としては認められない。
【０００３】
無線ローカルエリアネットワーク（ＷＬＡＮ）は、家庭、学校、オフィスビル、店舗、ショッピングモール、倉庫等において用いられ、限られたエリア内で無線接続を用いて、２または２より多いデバイスをネットワークにリンクする。一例において、ＷＬＡＮは、モノのインターネット（ＩｏＴ）において、センサ、アクチュエータ等のような人間以外のデバイスに無線接続を提供するために用いられる。
【発明の概要】
【０００４】
本開示の態様は、送受信回路および処理回路を含む装置を提供する。送受信回路は、別の装置によって送信されたトリガ信号を受信するように構成されている。トリガ信号は、当該装置を含む第１のグループの装置による送信をトリガし、および、第１のグループの装置による送信に対し干渉する第２のグループの装置による送信を遅延させる。処理回路は、トリガ信号に応答して、第２のグループの装置によって用いられる第２のプリアンブル構造とは異なる第１のプリアンブル構造を持つフレームを生成し、および、生成されたフレームを送信のために送受信回路に提供する、ように構成されている。
【０００５】
本開示の一態様によると、処理回路は、トリガ信号から、他の装置によって決定された物理層における１または複数の送信制御パラメータを復号化し、送信のために１または複数の送信制御パラメータを使用し、および、送信のためにフレーム内で１または複数の送信制御パラメータを示さないように第１のプリアンブル構造を簡素化する、ように構成されている。
【０００６】
一実施形態において、処理回路は、トリガ信号から、変調符号化方式、多入力多出力（ｍｕｌｔｉｐｌｅ−ｉｎｐｕｔ‐ｍｕｌｔｉｐｌｅ‐ｏｕｔｐｕｔ）パラメータおよびデータユニット長のうち少なくとも１つを復号化するように構成されている。例えば、処理回路は、１または複数の送信制御パラメータを保持するための信号フィールドを省略するように、第１のプリアンブル構造を簡素化するように構成されている。 
【０００７】
一例において、処理回路は、第１のプリアンブル構造において、第２のプリアンブル構造の１または複数のフィールドを省略するように構成されている。別の例において、処理回路は、第１のプリアンブル構造において、物理層の分類情報を省略するように構成されている。 
【０００８】
本開示の一態様によると、第１のプリアンブル構造は、第２のプリアンブル構造におけるパターンより、時間／周波数領域において、より多くの重複したパターンを含めるように構成されている。
【０００９】
一実施形態において、処理回路は、トリガ信号内の指標に基づき、装置によってサポートされる複数のプリアンブル構造から、第１のプリアンブル構造を選択するように構成されている。別の実施形態において、処理回路は、送受信回路に、トリガ信号に応答して、クリアチャネルアセスメントなしで送信させるように構成されている。別の実施形態において、処理回路は、装置自体による決定に基づき、装置によってサポートされる複数のプリアンブル構造から、第１のプリアンブル構造を選択するように構成されている。一例において、処理回路は、装置が利用可能な様々なパラメータ、例えば、トリガ信号の受信信号のレベル、プリアンブル構造の履歴情報、他の装置の位置等に基づき、第１のプリアンブル構造を選択するように構成されている。
【００１０】
本開示の態様は、送信の方法を提供する。方法は、装置によって、別の装置により送信されたトリガ信号を受信する段階を含む。トリガ信号は、当該装置を含む、第１のグループの装置による送信をトリガし、第１のグループの装置による送信に対し干渉する第２のグループの装置による送信を遅延させる。さらに、方法は、第２のグループの装置により用いられる第２のプリアンブル構造とは異なる第１のプリアンブル構造を持つフレームを生成する段階と、生成されたフレームを保持する信号を送信する段階と、を含む。
【図面の簡単な説明】
【００１１】
例示として示される本開示の様々な実施形態について、以下の図面を参照して詳細に説明する。同様の参照番号は同様の構成要素を参照する。
【００１２】
【図１】本開示の一実施形態によるネットワーク１００のブロック図を示す。
【００１３】
【図２】本開示の一実施形態による処理２００を概説するフローチャートを示す。
【００１４】
【図３】本開示の実施形態によるフレームフォーマットの例を示す。
【００１５】
【図４】本開示の実施形態によるフレームフォーマットのさらなる例を示す。
【発明を実施するための形態】
【００１６】
図１は、本開示の一実施形態によるネットワーク１００のブロック図を示す。ネットワーク１００は、無線通信におけるトリガデバイス１１０および第１のグループの電子デバイス１６０Ａ−Ｎを含む。本開示の一態様によると、第１のグループの電子デバイス１６０Ａ−Ｎは、他のデバイス、例えば、第２のグループの電子デバイス１５０等による干渉に対し敏感な送信を実行するように構成されている。故に、図１の例において、トリガデバイス１１０は、他のデバイスによる送信を遅延させるべく、トリガ信号を生成および送信するように構成されている。第１のグループの電子デバイス１６０Ａ−Ｎは、トリガ信号に応答し、干渉に対する耐性を向上させるための特定のプリアンブル構造を持つ送信を実行するように構成されている。
【００１７】
ネットワーク１００は、任意の好適なネットワーク技術、例えば、有線、無線、ローカルエリアネットワーク（ＬＡＮ）、無線ＬＡＮ（ＷＬＡＮ）、セルラネットワーク、光ファイバネットワーク、ワイドエリアネットワーク（ＷＡＮ）、ピアツーピアネットワーク、インターネット等を用いて実装される相互接続を含む。一例において、トリガデバイス１１０、第１のグループの電子デバイス１６０Ａ−Ｎおよび第２のグループの電子デバイス１５０は、トリガデバイス１１０を、第１のグループの電子デバイス１６０Ａ−Ｎおよび第２のグループの電子デバイス１５０と相互接続するために、ＷＬＡＮ技術を用いて実装されるベーシックサービスセット（ＢＳＳ）１０１内に存在する。一例において、ネットワーク１００は、ＢＳＳ  １０１を例えばインターネットに接続するための接続を提供するために、ＬＡＮ、光ファイバネットワーク等といった他の好適な相互接続（不図示）を含む。
【００１８】
別の例において、トリガデバイス１１０、第１のグループの電子デバイス１６０Ａ−Ｎおよび第２のグループの電子デバイス１５０は、通信のためのセルラネットワーク技術等の他の好適な無線技術を用いることに留意されたい。
【００１９】
一実施形態において、ＢＳＳ  １０１は、インフラストラクチャタイプのベーシックサービスセットである。一例において、トリガデバイス１１０はアクセスポイント（ＡＰ）デバイスであり、第１のグループの電子デバイス１６０Ａ−Ｎおよび第２のグループの電子デバイス１５０は、局（ＳＴＡ）デバイスである。第１のグループの電子デバイス１６０Ａ‐Ｎおよび第２のグループの電子デバイス１５０は、トリガデバイス１１０を通して通信し、トリガデバイス１１０は、第１のグループの電子デバイス１６０Ａ−Ｎおよび第２のグループの電子デバイス１５０等の無線準拠デバイスがネットワーク１００の他の部分に接続可能にするためのブリッジとして機能するように構成されたネットワークハードウェアおよびソフトウェアを含む。
【００２０】
別の例において、トリガデバイス１１０は、無線接続を介して、第１のグループの電子デバイス１６０Ａ−Ｎの１または複数から情報を受信し、および、当該情報を処理するように構成されたＳＴＡデバイスである。一実施形態において、トリガデバイス１１０は、中継デバイスであり、有線および／または無線接続を介して受信情報を別のデバイスに転送する。別の実施形態において、トリガデバイス１１０は当該情報に基づいて制御信号を生成するように構成された中央コントローラであり、当該制御信号を無線接続を介して第１のグループの電子デバイス１６０Ａ−Ｎのうちの１または複数に提供する。
【００２１】
第１のグループの電子デバイス１６０Ａ−Ｎおよび第２のグループの電子デバイス１５０の各々は、デスクトップコンピュータ、ラップトップコンピュータ、タブレットコンピュータ、スマートフォン、パーソナルデジタルアシスタント（ＰＤＡ）、スマートウォッチ、スマートカメラ、スマートＴＶ、スマートボイスレコーダ、ウェアラブルデバイス、センサデバイス、アクチュエータデバイス、家庭用電化製品用プラグインデバイス、家庭用電化製品、ロッカ（ｌｏｃｋｅｒ）、電球、電源スイッチ等の任意の好適なデバイスであってよい。
【００２２】
本開示の一態様によると、第１のグループの電子デバイス１６０Ａ−Ｎは、低電力、低速および長距離で無線リンクを通して通信するように構成されている。一実施形態において、第１のグループの電子デバイス１６０Ａ−Ｎは、モノのインターネット（ＩｏＴ）で用いられる。例えば、第１のグループの電子デバイス１６０Ａ−Ｎは、リモートセンサおよび／またはスマートマシンであり、従来のインフラストラクチャおよび便利な電源から離れたエリアに分散されている。一例において、第１のグループの電子デバイス１６０Ａ−Ｎはバッテリ駆動のデバイスであり、バッテリを交換および／または再充電することなく、数年間にわたり定期的な間隔で小さいデータパケットを送信することが予期されている。別の例において、第１のグループの電子デバイス１６０Ａ−Ｎは、比較的広いエリアにわたり分散されており、１キロまたは１キロより長い距離といった比較的長距離にわたり送信することが予期されている。
【００２３】
従って、一実施形態において、第１のグループの電子デバイス１６０Ａ−Ｎは、ノイズおよび／または他の信号からの干渉に対し敏感な長距離および低電力（ｌｏｎｇ  ｒａｎｇｅ  ａｎｄ  ｌｏｗ  ｐｏｗｅｒ（ＬＲＬＰ））送信を実行するように構成されている。一例において、ＬＲＬＰ送信は、トリガデバイス１１０等の受信デバイスに、例えば、ノイズフロア程度またはノイズフロア未満といった非常に低い信号レベルで到達する。実施形態において、ＬＲＬＰ送信は、例えばレガシデバイスからのチャネルアクセス競合に対して脆弱である。例えば、進行中のＬＲＬＰ送信は、その低い信号レベルに起因し、レガシデバイス（例えば、第２のグループの電子デバイス１５０中のあるデバイス）により検出されず、この場合、レガシデバイスは、進行中のＬＲＬＰ送信を認識することなく、送信を実行する。レガシデバイスによる当該送信は、一般的に、進行中のＬＲＬＰ送信に負担をかけ、進行中のＬＲＬＰ送信に対し干渉する。
【００２４】
本開示の一態様によると、トリガデバイス１１０は、他のデバイスによる送信を遅延するためのトリガ信号を生成および送信するように構成されている。トリガ信号に応答し、第１のグループの電子デバイス１６０Ａ−Ｎは、干渉に対する耐性を向上させるための特定のプリアンブル構造を持つＬＲＬＰ送信を実行するように構成されている。
【００２５】
具体的には、図１の例では、トリガデバイス１１０は、図１に示すように、共に連結された送受信回路１１３および処理回路１２０を含む。当該例において、送受信回路１１３は、受信回路１１６および送信回路１１５を含み、受信回路１１６および送信回路１１５は両方ともアンテナ１１４に連結されている。一例において、受信回路１１６は、プリアンブル処理回路１１７を含む。処理回路１２０は、トリガフレームを生成するように構成されたトリガフレーム生成回路１３０を含む。
【００２６】
送受信回路１１３は、無線信号を受信および送信するように構成されている。例えば、受信回路１１６は、アンテナ１１４によって捕捉された電磁波に応答して電気信号を生成し、当該電気信号を処理して、当該電気信号からデジタルストリームを抽出するように構成されている。プリアンブル処理回路１１７は、受信信号のプリアンブルから様々な情報を検出し、および、当該情報を、例えばフレーム検出、自動利得制御（ＡＧＣ）、周波数オフセット推定、同期、変調符号化方式（ＭＣＳ）の指標、チャネル推定等に用いる、ように構成されている。
【００２７】
一例において、送信回路１１５は、管理フレーム、データフレーム、トリガフレーム等のデジタルストリームを例えば処理回路１２０から受信し、デジタルストリームを保持する無線周波数（ＲＦ）信号を生成し、および、当該デジタルストリームを保持する無線信号を送信すべく、アンテナ１１４を介して電波中に電磁波を放出する、ように構成されている。
【００２８】
一実施形態において、トリガフレーム生成回路１３０は、第１のグループの電子デバイス１６０Ａ−Ｎにより使用されるべきチャネルを保護するために用いられるトリガフレームを生成するように構成されている。一例において、トリガフレームは、チャネル保護の持続時間に対応する値を保持する持続時間フィールドを含む。第２のグループの電子デバイス１５０がトリガフレームを受信すると、第２のグループの電子デバイス１５０は、トリガフレームの持続時間フィールド内の当該値に基づき、ある持続時間だけ送信を遅延させる。別の例においては、トリガフレームは、第２のグループの電子デバイス１５０が送信を遅延させるための持続時間を暗黙的に示す他の好適な情報を含む。
【００２９】
別の実施形態においては、トリガフレーム生成回路１３０は、第１のグループの電子デバイス１６０Ａ−Ｎからトリガデバイス１１０への送信（アップリンクＬＲＬＰ送信）のための制御情報を保持するトリガフレームを生成するように構成されている。一例において、トリガデバイス１１０は、第１のグループの電子デバイス１６０Ａ−Ｎからトリガデバイス１１０へのアップリンク送信のための制御情報、例えば、物理層（ＰＨＹ）情報（例えば、変調符号化方式（ＭＣＳ）、多入力多出力（ＭＩＭＯ）、アップリンクデータユニット長、ＰＨＹ分類）等を決定する中央制御デバイスである。この場合、トリガフレーム生成回路１３０は、決定された制御情報を持つトリガフレームを生成し、送信回路１１５は当該トリガフレームを保持するトリガ信号を送信する。第１のグループの電子デバイス１６０Ａ−Ｎがトリガ信号を受信し、トリガフレームを復号化すると、第１のグループの電子デバイス１６０Ａ−Ｎは、トリガデバイス１１０によって決定された制御情報に従い、アップリンク送信を実行する。故に、一例において、トリガデバイス１１０は既にアップリンク送信の制御情報を知っているので、第１のグループの電子デバイス１６０Ａ−Ｎは、アップリンク送信に制御情報を含める必要がなく、このため、一例において、第１のグループの電子デバイス１６０Ａ−Ｎは簡素化されたプリアンブル構造を使用する。
【００３０】
別の実施形態において、トリガフレーム生成回路１３０は、選択されたプリアンブル構造の指標を保持するトリガフレームを生成するように構成されている。一例において、トリガデバイス１１０は、電子デバイス１６０Ａの情報、例えば、容量情報、位置情報、信号の強度情報、距離情報等を受信する。トリガデバイス１１０は、電子デバイス１６０Ａの当該情報に基づき、複数のプリアンブル構造から、プリアンブル構造を選択する。次に、トリガフレーム生成回路１３０は、選択されたプリアンブル構造を示す指標をトリガフレームに含める。
【００３１】
別の例において、トリガデバイス１１０は、マルチユーザＬＲＬＰ送信を実行する電子デバイス１６０Ａおよび電子デバイス１６０Ｎ等の複数のＩｏＴデバイスの情報を受信する。トリガデバイス１１０は、受信された情報に基づき、当該複数のＩｏＴデバイスによってサポートされるプリアンブル構造を決定する。次に、トリガフレーム生成回路１３０は、決定されたプリアンブル構造を示す指標をトリガフレームに含める。トリガデバイス１１０は、ＩｏＴデバイスのリソース割当情報等といった他の好適な情報を決定し、および、当該決定した情報をトリガフレームに含めてよいことに留意されたい。
【００３２】
トリガフレームは、第１のグループの電子デバイス１６０Ａ−Ｎおよび第２のグループの電子デバイス１５０によって復号化可能な任意の好適なフォーマットを有してよいことに留意されたい。一例において、トリガフレームは８０２．１１ａで定義されるフォーマットを有する別の例において、トリガフレームは、図４のフォーマット構造のようなミックスモードのフォーマットを有する。別の例において、トリガフレームは、第１のグループの電子デバイス１６０Ａ−Ｎおよび第２のグループの電子デバイス１５０によって復号化可能な特別に定義されたフォーマットを有してよい。
【００３３】
一実施形態において、第１のグループの電子デバイス１６０Ａ−Ｎは、同様に構成される。電子デバイス１６０Ａを一例として用いると、電子デバイス１６０Ａは、共に連結された送受信回路１６３および処理回路１７０を含む。送受信回路１６３は、送信回路１６５および受信回路１６６を含み、送信回路１６５および受信回路１６６は両方ともアンテナ１６４に連結される。処理回路１７０は、トリガフレーム処理回路１８０およびプリアンブル生成回路１９０を含む。第１のグループの電子デバイス１６０Ａ−Ｎ中の他の電子デバイスは、電子デバイス１６０Ａで用いられるものと同一のまたは均等な特定のコンポーネントを利用する。
【００３４】
送受信回路１６３は、無線信号を受信および送信するように構成されている。例えば、受信回路１６６は、アンテナ１６４によって捕捉された電磁波に応答して電気信号を生成し、当該電気信号を処理して当該電気信号からデジタルストリーム（例えば、フレーム）を抽出し、および、当該デジタルストリームを処理回路１７０に提供する、ように構成されている。一例において、送信回路１６５は、管理フレーム、データフレーム等のデジタルストリームを例えば処理回路１７０から受信し、当該デジタルストリームを保持する無線周波数（ＲＦ）信号を生成し、および、当該デジタルストリームを保持する無線信号を送信すべく、アンテナ１６４を介して、電磁波を電波中に放出する、ように構成されている。
【００３５】
処理回路１７０は、受信されたデジタルストリームを処理し、および、送信のためのデジタルストリームを生成する、ように構成されている。例えば、トリガフレーム処理回路１８０は、受信されたトリガフレームを処理し、および、トリガフレームに保持された情報を判定する、ように構成されている。プリアンブル生成回路１９０は、好適なプリアンブル構造に従い、物理層内のフレームのプリアンブルを生成するように構成されている。
【００３６】
本開示の一態様によると、プリアンブル生成回路１９０は、アップリンクＬＲＬＰ送信のフレームに対し、グリーンフィールドモードまたはミックスフィールドでのプリアンブル構造を用いてよい。グリーンフィールドモードでは、プリアンブル構造は、トリガデバイス１１０等の受信デバイスが、長距離および低電力で送信されたフレームを受信できるようにするＬＲＬＰ構成におけるフィールドを含む。ミックスモードでは、プリアンブル構造は、レガシ構成における第１の部分のフィールド、およびＬＲＬＰ構成における第２の部分のフィールドを含む。一例において、第２の部分のフィールドは、トリガデバイス１１０等の受信デバイスが、長距離および低電力で送信されたフレームを受信できるようにしてよい。
【００３７】
一実施形態において、レガシ構成におけるフィールドは、レガシショートトレーニングフィールド（Ｌ‐ＳＴＦ）フィールド、レガシロングトレーニングフィールド（Ｌ‐ＬＴＦ）フィールド、およびレガシ信号フィールド（Ｌ‐ＳＩＧ）フィールドを含む。一例において、Ｌ‐ＳＴＦフィールド、Ｌ‐ＬＴＦフィールドおよびＬ‐ＳＩＧフィールドは、レガシプロトコル（例えば、８０２．１１  ａ、ｂおよびｇ）による送信において定義および使用されている。一例において、レガシ構成におけるフィールドは、第２のグループの電子デバイス１５０等のレガシデバイスによって、レガシプロトコルに従い復号化されてよく、レガシ構成におけるフィールドは、ＬＲＬＰ送信のためのチャネルの保護に用いられる。
【００３８】
さらに、一実施形態において、ＬＲＬＰ構成におけるフィールドは、ＬＲ‐ＳＴＦフィールド、ＬＲ‐ＬＴＦフィールドおよびＬＲ‐ＳＩＧフィールドを含む。一例において、ＬＲ‐ＳＴＦフィールド、ＬＲ‐ＬＴＦフィールドおよびＬＲ‐ＳＩＧフィールドは、アップリンクＬＲＬＰ送信のために、時間および／または周波数領域において特別に構成されており、これについては、例えば、２０１６年１０月２４日に出願された本出願人による同時係属中の出願１５／３３２，５３１号に開示されており、当該出願は参照によりその全体が本明細書に援用される。例えば、ＬＲ‐ＳＴＦフィールド、ＬＲ‐ＬＴＦフィールドおよびＬＲ‐ＳＩＧフィールドはそれぞれ、レガシ構成における対応パターンより、時間／周波数領域においてさらに多くの回数繰り返されるパターンを含む。従って、一例において、トリガデバイス１１０は、アップリンクＬＲＬＰ送信において、例えばレガシプロトコルの能力の下限値よりも低い信号レベルで信号を受信し、トリガデバイス１１０は、ＬＲＬＰ構成におけるフィールドに基づき、アップリンクＬＲＬＰ送信における信号を正常に受信および復号化してよい。
【００３９】
一実施形態において、プリアンブル生成回路１９０は、ＬＲＬＰ送信のために簡素化されたプリアンブル構造を選択するように構成されている。一例において、トリガフレームは、チャネル保護のために機能し、プリアンブル生成回路１９０は、レガシフィールドを有していないグリーンフィールドモードでのプリアンブル構造を用いる。
【００４０】
別の例においては、トリガフレームは、アップリンクＬＲＬＰ送信のためのＰＨＹ情報を保持する。トリガフレーム処理回路１８０は、トリガフレームからＰＨＹ情報を復号化する。次に、ＰＨＹ情報はアップリンクＬＲＬＰ送信において用いられる。さらに、プリアンブル生成回路１９０は、ＳＩＧフィールドを持たないプリアンブル構造を選択する。
【００４１】
一実施形態において、トリガデバイス１１０は、プリアンブル構造を決定し、トリガフレーム内にプリアンブル構造を示す指標を提供する。トリガフレーム処理回路１８０は、トリガフレーム内の当該指標を検出する。次に、プリアンブル生成回路１９０は、当該指標に基づき、プリアンブル構造を決定する。
【００４２】
別の実施形態において、プリアンブル生成回路１９０は、電子デバイス１６０Ａによってサポートされる複数のプリアンブル構造から、プリアンブル構造を選択するように構成されている。例えば、プリアンブル生成回路１９０は、２、３のパラメータに基づき、プリアンブル構造を選択してよい。一例において、電子デバイス１６０Ａは、トリガ信号の受信信号のレベルを検出し、当該トリガ信号の受信信号のレベルに基づき、プリアンブル構造のうちの１つを動的に選択する。別の例においては、プリアンブル生成回路１９０は、複数のプリアンブル構造の履歴情報に基づき、プリアンブル構造を選択する。例えば、プリアンブル生成回路１９０は、特定のプリアンブルタイプの成功率をチェックしてよく、次に、プリアンブルの簡素化と送信堅牢性との間でトレードオフしてよい。例えば、あるプリアンブル構造について再送が生じた場合、プリアンブル生成回路１９０は、より堅牢なプリアンブルタイプに切り替えてよい。
【００４３】
別の例においては、プリアンブル生成回路１９０は、他の複数のタイプのプリアンブルを試行し、別のタイプが現在のリンクに持続可能であるかを判断する。例えば、電子デバイス１６０Ａ内に実装されたＭＡＣアルゴリズムがプリアンブル構造を決定する。
【００４４】
別の例において、電子デバイス１６０Ａは、トリガデバイス１１０の位置に関する情報を用い、当該情報が、トリガデバイス１１０と電子デバイス１６０Ａとの間の正確なパス損失の取得にさらに役立ってよい。
【００４５】
電子デバイス１６０Ａは、簡素化、より短いプリアンブル、リンク堅牢性、バランス等といった異なる最適化の目的のために、プリアンブル構造を決定してよいことに留意されたい。
【００４６】
プリアンブル生成回路１９０によって使用されてよい様々なプリアンブル構造を図３および図４に示す。
【００４７】
本開示の一態様によると、処理回路１７０は様々な技術を用いて実装されてよい。一例において、処理回路１７０は、プロセッサを用いて実装される。プロセッサは、ソフトウェア命令を実行し、様々な機能を実行するように構成されている。別の例において、処理回路１７０は、特定の機能を実行するように構成された特定用途向け集積回路（ＡＳＩＣ）を含む。別の例において、処理回路１７０は、媒体アクセス制御（ＭＡＣ）層の単純なルールを実行するように構成されており、処理回路１７０はコスト低減のため、比較的単純な回路を用いて実装されてよい。
【００４８】
本開示の一態様によると、トリガ信号は、電子デバイス１６０Ａからトリガデバイス１１０へのアップリンクＬＲＬＰ送信のための通信チャネルを保護するために用いられる。故に、一例において、電子デバイス１６０Ａは、トリガ信号に応答したアップリンクＬＲＬＰ送信の前に、クリアチャネルアセスメント（ＣＣＡ）を省略するように構成され、電子デバイス１６０Ａは、コスト低減のため、簡素化された回路を用いて実装されてよい。別の例において、電子デバイス１６０Ａは、トリガ信号に応答したアップリンクＬＲＬＰ送信の前に、ＣＣＡを実行するように構成されている。
【００４９】
図２は、本開示の一実施形態による処理２００を概説するフローチャートを示す。一例において、処理２００は、図１の例の電子デバイス１６０Ａ等、第１のグループの電子デバイス１６０Ａ−Ｎ中の電子デバイスによって実行される。処理は、Ｓ２０１で開始され、Ｓ２１０に進む。
【００５０】
Ｓ２１０において、トリガフレームを保持するトリガ信号が受信される。一例において、トリガデバイス１１０は、例えば、バッテリ駆動のリモートセンサである第１のグループの電子デバイス１６０Ａ−Ｎによって検出されたパラメータを収集するための時間を決定する。その時間において、トリガデバイス１１０は、トリガフレームを保持するトリガ信号を生成および送信する。トリガ信号は、アップリンクＬＲＬＰ送信のチャネルを保護するために機能する。第２のグループの電子デバイス１５０がトリガ信号を検出すると、第２のグループの電子デバイスは送信を遅延させる。図１の例においては、送受信機１６３がトリガ信号を受信し、トリガフレームを抽出する。
【００５１】
Ｓ２２０において、プリアンブルがトリガ信号に基づき生成される。一例において、トリガフレームはチャネル保護のために機能し、プリアンブル生成回路１９０は、レガシフィールドを有していないグリーンフィールドモードでのプリアンブル構造を用いる。別の例において、トリガフレームは、アップリンクＬＲＬＰ送信のためのＰＨＹ情報を保持する。次に、プリアンブル生成回路１９０は、ＳＩＧフィールドを持たないプリアンブル構造を選択する。別の例において、トリガフレームは、トリガデバイス１１０によって決定されたプリアンブル構造の指標を含む。次に、プリアンブル生成回路１９０は、当該指標に基づき、プリアンブル構造を決定する。別の例において、電子デバイス１６０Ａは、２、３のパラメータ、例えば、受信信号のレベル、トリガデバイス１１０の位置、様々なプリアンブル構造の履歴情報等を検出し、当該パラメータに基づき、プリアンブル構造を選択する。例えば、電子デバイス１６０Ａはトリガ信号の受信信号のレベルを検出し、プリアンブル生成回路１９０は当該トリガ信号の受信信号のレベルに基づき、プリアンブル構造のうちの１つを選択する。
【００５２】
Ｓ２３０において、トリガ信号に応答して、プリアンブルを持つアップリンクフレームが送信される。一例において、電子デバイス１６０Ａは、クリアチャネルアセスメント（ＣＣＡ）を省略し、トリガ信号に応答して、プリアンブルを持つフレームを保持する信号を送信する。別の例において、電子デバイス１６０Ａは、トリガ信号に応答して、プリアンブルを持つフレームを保持する信号を送信する前に、ＣＣＡを実行するように構成されている。次に、処理はＳ２９９に進み、終了する。
【００５３】
図３は、本開示の実施形態による、フレームフォーマット３１０および３２０の例を示す。一例において、フレームフォーマット３１０および３２０は、アップリンクＬＲＬＰ送信のために、物理層内のフレームを生成すべく、第１のグループの電子デバイス１６０Ａ−Ｎによって用いられてよい。フレームフォーマット３１０および３２０は、プリアンブル構造において、レガシ部分を省略するグリーンフィールドモードを用いる。一般的に、進行中の送信において、フレームのプリアンブルのレガシ部分は、第２のグループの電子デバイス１５０等のレガシデバイスが進行中の送信を認識できるようにし、このため、レガシデバイスは、これに応じて送信を遅延させてよく、進行中の送信のチャネルが保護される。一実施形態において、トリガフレームを保持するトリガ信号はチャネル保護として機能し、プリアンブルのレガシ部分は省略される。
【００５４】
フレームフォーマット３１０は、ＬＲ‐ＳＴＦフィールド３１２、ＬＲ‐ＬＴＦフィールド３１４およびデータフィールド３１６を含む。ＬＲ‐ＳＴＦフィールド３１２およびＬＲ‐ＬＴＦフィールド３１４がプリアンブルを形成する。
【００５５】
一例において、トリガフレームはチャネル保護として機能し、トリガフレームはトリガデバイス１１０によって決定されたＰＨＹパラメータを保持する。このため、ＬＲ‐ＳＩＧフィールドは省略される。当該例において、処理回路１７０は、フレームフォーマット３１０を用いて、アップリンクＬＲＬＰ送信のためのフレームを生成する。
【００５６】
フレームフォーマット３２０は、ＬＲ‐ＳＴＦフィールド３２２、ＬＲ‐ＬＴＦフィールド３２４、ＬＲ‐ＳＩＧフィールド３２６およびデータフィールド３１６を含む。ＬＲ‐ＳＴＦフィールド３２２、ＬＲ‐ＬＴＦフィールド３２４およびＬＲ‐ＳＩＧフィールド３２６がプリアンブルを形成する。
【００５７】
一例において、トリガフレームはチャネル保護として機能する。電子デバイス１６０Ａは、１または複数のＰＨＹパラメータを決定し、信号フィールド（例えば、ＬＲ‐ＳＩＧフィールド）を用いて、トリガデバイス１１０等の受信デバイスに当該ＰＨＹパラメータを通知する。当該例において、処理回路１７０は、フレームフォーマット３２０を用いて、アップリンクＬＲＬＰ送信のためのフレームを生成する。
【００５８】
図４は、本開示の実施形態による、フレームフォーマット４１０−４４０の例を示す。一例において、フレームフォーマット４１０−４４０は、アップリンクＬＲＬＰ送信のために、物理層内のフレームを生成すべく、第１のグループの電子デバイス１６０Ａ−Ｎによって用いられてよい。フレームフォーマット４１０−４４０は、プリアンブル構造でミックスモードを用いる。ミックスモードでは、プリアンブル構造は、第１の部分（例えば、レガシ構成におけるフィールド）、および第２の部分（例えば、ＬＲＬＰ構成におけるフィールド）を含む。一般的に、進行中の送信のフレームの第１の部分が、第２のグループの電子デバイス１５０等のレガシデバイスが進行中の送信を認識できるようにし、このため、レガシデバイスは、これに応じて送信を遅延させてよく、進行中の送信のチャネルが保護される。第２の部分は、トリガデバイス１１０等の受信デバイスがＬＲＬＰ送信を受信することを補助するように構成されている。
【００５９】
フレームフォーマット４１０は、Ｌ‐ＳＴＦフィールド４１１、Ｌ‐ＬＴＦフィールド４１２、Ｌ‐ＳＩＧフィールド４１３、ＬＲ‐ＳＩＧフィールド４１４、ＬＲ‐ＳＴＦフィールド４１５、ＬＲ‐ＬＴＦフィールド４１６およびデータフィールド４１７を含む。Ｌ‐ＳＴＦフィールド４１１、Ｌ‐ＬＴＦフィールド４１２およびＬ‐ＳＩＧフィールド４１３が第１の部分のプリアンブル構造を形成し、ＬＲ‐ＳＩＧフィールド４１４、ＬＲ‐ＳＴＦフィールド４１５およびＬＲ‐ＬＴＦフィールド４１６が第２の部分のプリアンブル構造を形成する。
【００６０】
一例において、Ｌ‐ＳＴＦフィールド４１１は、レガシ構成における、トリガデバイス１１０等の受信デバイスでの粗同期およびＡＧＣのための利得設定を補助するものである。Ｌ‐ＬＴＦフィールド４１２はレガシ構成における、トリガデバイス１１０等の受信デバイスでの時間および周波数領域における精密な同期を補助するものである。Ｌ‐ＳＩＧフィールド４１３はレガシ構成における、トリガデバイス１１０等の受信デバイスに対し、１または複数のＰＨＹパラメータを通知するものである。
【００６１】
一例において、ＬＲ‐ＳＴＦフィールド４１５は、ＬＲＬＰ構成における、トリガデバイス１１０等の受信デバイスでの粗同期およびＡＧＣのための利得設定を補助するものである。ＬＲ‐ＬＴＦフィールド４１６は、ＬＲＬＰ構成における、トリガデバイス１１０等の受信デバイスでの時間および周波数領域における精密な同期を補助するものである。ＬＲ‐ＳＩＧフィールド４１４はＬＲＬＰ構成における、トリガデバイス１１０等の受信デバイスに対し、１または複数のＰＨＹパラメータを通知するものである。
【００６２】
一例において、データフィールド４１７は、ＭＡＣ層のデータユニットを含む。
【００６３】
フレームフォーマット４２０は、Ｌ‐ＳＴＦフィールド４２１、Ｌ‐ＬＴＦフィールド４２２、Ｌ‐ＳＩＧフィールド４２３、ＬＲ‐ＳＩＧフィールド４２４、ＬＲ‐ＬＴＦフィールド４２６およびデータフィールド４２７を含む。フレームフォーマット４１０と比較すると、フレームフォーマット４２０は、ＬＲ‐ＳＴＦフィールドを省略する。受信デバイスでの粗同期およびＡＧＣのための利得設定は、Ｌ‐ＳＴＦフィールド４２１に基づき実行される。
【００６４】
フレームフォーマット４３０は、Ｌ‐ＳＴＦフィールド４３１、Ｌ‐ＬＴＦフィールド４３２、ＬＲ‐ＳＩＧフィールド４３４、ＬＲ‐ＳＴＦ４３５、ＬＲ‐ＬＴＦフィールド４３６およびデータフィールド４３７を含む。フレームフォーマット４１０と比較すると、フレームフォーマット４３０は、Ｌ‐ＳＩＧフィールドを省略する。一例において、ＬＲ‐ＳＩＧフィールド４３４を用いて、受信デバイスに対し、ＰＨＹパラメータを通知する。さらに、一例において、ＬＲ‐ＳＴＦ４３５が省略される。
【００６５】
フレームフォーマット４４０は、Ｌ‐ＳＴＦフィールド４４１、Ｌ‐ＬＴＦフィールド４４２、Ｌ‐ＳＩＧフィールド４４３、ＬＲ‐ＳＴＦフィールド４４４、ＬＲ‐ＬＴＦフィールド４４５、ＬＲ‐ＳＩＧフィールド４４６およびデータフィールド４３７を含む。フレームフォーマット４１０と比較すると、フレームフォーマット４４０は、ＬＲ‐ＳＩＧフィールドの位置をＬＲ‐ＳＴＦおよびＬＲ‐ＬＴＦの後に移動させている。このため、一例において、受信デバイスは、ＬＲ‐ＬＴＦフィールドの後、アップリンクＬＲＬＰ送信の信号とより良く同期される。従って、当該例においては、フレームフォーマット４１０と比較して、フレームフォーマット４４０は、受信デバイスがＬＲ‐ＳＩＧフィールドをより良い信号品質で受信できるようにする。さらに、一例において、Ｌ‐ＳＩＧ４４３フィールドおよび／またはＬＲ‐ＳＴＦフィールドは省略される。
【００６６】
ハードウェアで実装される場合、ハードウェアは、個々のコンポーネント、集積回路、特定用途向け集積回路（ＡＳＩＣ）等のうちの１または複数を備えてよい。
【００６７】
本開示の態様は、例示として示された本開示に係る特定の実施形態に関し説明されているが、当該例に対する代替例、修正例および変形例がなされてよい。従って、本明細書に記載した実施形態は、限定ではなく、例示を意図したものである。以降に記載された特許請求の範囲の範囲から逸脱することなく、変更がなされ得る。
【図１】
2019520754.tif 000003
【図２】
2019520754.tif 000004
【図３】
2019520754.tif 000005
【図４】
2019520754.tif 000006
【国際調査報告】
2019520754.tif 000007
2019520754.tif 000008
2019520754.tif 000009